【事件の表示】
　上記当事者間の登録第２１６５５３１号の１商標の登録取消審判事件について、次のとおり審決する。
【結　論】
　登録第２１６５５３１号の１商標の商標登録を取り消す。
　審判費用は、被請求人の負担とする。
【理　由】
第１　本件商標
　本件登録第２１６５５３１号の１商標（以下、「本件商標」という。）は、「ＡＣＥ」の欧文字を横書きしてなり、昭和５９年３月２８日に登録出願され、第１７類「被服、布製身回品」を指定商品として、平成１年８月３１日に設定登録されたものであるが、その後、同２９年２月１４日に分割移転がなされた結果、指定商品は、第１７類「被服、布製身回品但し、指定商品である被服，布製身回品の内、寝巻き類，下着，水泳着，水泳帽，キャミソール，ティーシャツ，アイマスク，エプロン，えり巻，靴下，ゲートル，毛皮製ストール，ショール，スカーフ，足袋，足袋カバー，手袋，ネクタイ，ネッカチーフ，バンダナ，保温用サポーター，マフラー，耳覆いを除く他の全ての指定商品を除く」となったものである。
　また、本件商標の商標権者は、平成２３年８月２９日に旭繊維株式会社に移転され、その後、同２８年１１月４日にサンリッチ株式会社（被請求人）に移転されたものである。 
　なお、平成１１年８月２４日及び同２１年８月１１日に商標権の存続期間の更新登録がされているものである。
　そして、本件審判の請求の登録は、平成３０年（２０１８年）８月１０日にされている。
　また、本件審判請求の登録前３年以内の期間である平成２７年（２０１５年）８月１０日から同３０年（２０１８年）８月９日までの期間を、以下、「要証期間」という。
第２　請求人の主張
　請求人は、結論同旨の審決を求め、その理由を要旨以下のように述べ、証拠方法として甲第１号証ないし甲第４号証を提出した。
　以下、証拠については、「甲１」「乙１」のように表示する。
１　請求の理由
　本件商標は、その指定商品について、本件商標の商標権者によって継続して３年以上日本国内において使用されておらず、現在も使用されている事実は見いだせない。
　加えて、商標登録原簿上において、通常使用権及び専用使用権の設定登録がなされておらず、使用権者が使用していることも考えられない（甲２）。
　したがって、本件商標はその請求に係る指定商品について、商標法第５０条第１項の規定により取り消されるべきものである。
２　答弁に対する弁駁
　（１）　乙１０について
　乙１０は「靴下」の商品カタログと見受けられるが、発行者も日付も一切記載されておらず、乙１０が本件商標の前商標権者である旭繊維株式会社（以下「前商標権者」という場合がある。）のカタログであるか、いつ発行されたものであるか不明である。
　（２）　乙１１について
　乙１１に記載の指定品番と乙１０のカタログの記載から、乙１１が、同カタログに掲載された商品に関する納品書であることは推測できるものの、納品時に乙２ないし乙９にみられるような「ＡＣＥ」の文字を表した吊下用タグ（以下「タグ」という。）が付されていたかどうか明らかでない。
　また、乙１１には「平成２７年１１月３０日」という日付があるが、前商標権者は、平成２７年４月１日付けで大阪地方裁判所より破産手続開始決定がなされている（甲３及び甲４）。破産手続が開始されると、破産者である法人の財産は破産管財人が管理・処分し、破産者自身が自由に管理・処分することができず、また、自らの意思決定によって事業を継続することはできない。
　上記事実を踏まえると、乙１１の納品書の存在自体に疑義が生じるとともに、前商標権者が本件商標を付した商品を業として販売したことを示す証拠にはならない。
（３）　乙１２及び乙１３について
　乙１２に記載の商品名と乙１０のカタログの記載から、乙１２が、乙１０に掲載された商品に関する納品書であることは推測できるものの、納品時に乙２ないし乙９にみられるような「ＡＣＥ」の文字を表したタグが付されていたかどうか明らかでない。
第３　被請求人の主張 
　被請求人は、本件審判の請求は、成り立たない、審判費用は、請求人の負担とする、との審決を求めると答弁し、その理由を要旨以下のように述べ、証拠方法として、乙１ないし乙１３を提出した。 
１　答弁の理由
　（１）　本件商標の使用の要点
　本件商標の前商標権者は、要証期間内に、その請求に係る指定商品中「靴下」について、本件商標と社会通念上同一と認められる商標を使用している。
　（２）　本件商標の使用の事実
　ア　被請求人について
　被請求人は、昭和５３年１１月１７日に設立された大阪府大阪市に本社を置く法人であり、その事業内容は、繊維製品製造業、不動産賃貸管理業及び免税店事業等、多岐に渡っている（乙１）。被請求人は、本件商標を前商標権者より譲り受け、平成２８年１１月４日付けで商標登録原簿に登録されたことをもって、正式な商標権者となった。
　イ　使用に係る商品
　乙２ないし乙９の商品写真に示された商品が、本件商標の使用に係る「靴下」である。当該靴下は、一足の靴下を重ね合わせて足型の台紙を入れ、タグとともにタグピンにて結束した状態で販売されるものである。
　ウ　商標の使用
　乙２ないし乙９に示すとおり、本件商標と社会通念上同一の商標である「ＡＣＥ」が「靴下」のタグの表面に付されている。また、タグの裏面には製造元として前商標権者の社名「旭繊維株式会社」が記載されている。
　エ　商品の販売の事実
　（ア）本件商標を使用した「靴下」が販売された事実は、前商標権者の商品カタログ（乙１０）及び納品書（乙１１）により示される。
　乙１０は、本件商標を使用した前商標権者が作成した商品カタログである。当該商品カタログには、「靴下」のタグ付け前の商品写真、品番、カラー等が掲載されている。
　当該商品カタログからは、乙２ないし乙９の商品写真と対比することで、当該各商品の品番等を特定することができる。
　乙１１は、本件商標が付された「靴下」が前商標権者によって顧客であるサンリッチ株式会社に納品されたことを示す平成２７年１１月３０日付けの納品書の写しである。当該納品書により、乙２ないし乙９に係る「靴下」がそれぞれ納品されたことが明らかである。
　（イ）前商標権者よりサンリッチ株式会社が仕入れた「靴下」は、その後他社に卸売され、その販売の事実は、サンリッチ株式会社の納品書（乙１２）及び送り状（乙１３）により示される。
　乙１２は、上述した「靴下」がサンリッチ株式会社によって顧客である株式会社イトウに納品されたことを示す平成２７年１２月２２日付けの納品書の写しであり、乙１３は、当該納品書に記載の商品をサンリッチ株式会社が発送したことを示す同日付けの送り状の写しである。
　（３）　まとめ
　ア　使用に係る商品
　乙２ないし乙１０に示すように、使用に係る商品は「靴下」であり、商品「靴下」は、請求に係る指定商品に該当するものである。
　イ　商標の使用
　乙２ないし乙９の靴下に結束されたタグには、黒色の背景に白抜きで「ＡＣＥ」が表示されている。また、乙１０の前商標権者の商品カタログの上部の黒字の長方形状の中央部分には、白抜きで「ＡＣＥ」が表示されている。
　使用商標と本件商標とは、「ＡＣＥ」の文字が同一であるから、使用商標は、本件商標と社会通念上同一の商標といえる。
　ウ　使用時期について
　乙１１に示すように、本件商標が付された「靴下」は、平成２７年１１月３０日に前商標権者からサンリッチ株式会社に納品され、乙１２及び乙１３に示すように、前商標権者から仕入れた「靴下」は、同年１２月２２日にサンリッチ株式会社から株式会社イトウに販売されたことがわかる。
　上述する平成２７年１１月３０日及び同年１２月２２日は、要証期間に含まれる。
　エ　小括
　以上によれば、前商標権者を通じて、要証期間内にその請求に係る指定商品中「靴下」に、本件商標と社会通念上同一と認められる商標を付して、譲渡が行われていたといえる（商標法第２条第３項第２号）。
　（４）　結語
　以上のとおり、本件商標は、要証期間内に我が国において、前商標権者により、本件審判の請求に係る指定商品中「靴下」について使用されているものであるから、その登録は商標法第５０条第１項の規定によって取り消されるべきではない。
第４　当審における審尋
　審判長は、令和１年６月１７日付け審尋にて、被請求人に対し、商標法第５０条第２項の規定による被請求人の証明について、審判事件答弁書の内容についての釈明及び更なる主張立証を求めた。
　これに対し、被請求人は、何らの応答もしていない。
第５　当審の判断
１　不使用取消審判について
　商標法第５０条に規定する商標登録の取消しの審判にあっては、同条第２項において、その審判の請求の登録前３年以内に日本国内において商標権者、専用使用権者又は通常使用権者のいずれかがその請求に係る指定商品又は指定役務のいずれかについての登録商標の使用をしていることを被請求人が証明しない限り、その登録商標の使用をしていないことについて正当な理由があることを明らかにした場合を除いて、商標権者は、その指定商品又は指定役務に係る商標登録の取消しを免れないとされている。
２　被請求人提出の証拠の内容
　被請求人は、本件商標の前商標権者が、要証期間内に、その請求に係る指定商品中「靴下」について、本件商標と社会通念上同一と認められる商標を使用（商標法第２条第３項第２号）している旨主張し、乙２ないし乙１３を提出した。
　そこで、被請求人の提出に係る答弁の全趣旨及び上記乙各号証について、以下検討する。
　（１）　被請求人の提出に係る乙２ないし乙９は、「靴下（紳士フットカバー）」の写真であるところ、いずれの商品「靴下（紳士フットカバー）」にもタグが付されており、そのタグの表面には白抜きの「ＡＣＥ」の文字及びその裏面には「製造元　旭繊維株式会社」の記載がある。
　また、上記各乙号証の下部には、撮影日：平成３０年１０月３日、撮影場所：事務所会議室、撮影者：被請求人代理人の記載が認められるが、当該撮影日は、要証期間の経過後である。
　（２）　乙１０は、被請求人の主張によれば、前商標権者が作成した商品カタログの写しであり、そこには「ＡＣＥ」及び「ＭＥＮＳ　ＦＯＯＴ　ＣＯＶＥＲ」の記載がある。
　また、上記商品カタログには、乙２ないし乙９の「靴下（紳士フットカバー）」と同じ種類の商品と認められる５つの「靴下（紳士フットカバー）」の写真が掲載されている。
　そして、上記５つの「靴下（紳士フットカバー）」の写真には、「ＡＥ３５−７２５１」ないし「ＡＥ３５−７２５５」の品番が付されており、品番「ＡＥ３５−７２５１」のカラーの項には「（３）Ｄブルー」及び「（４）Ｄブラウン」の記載、品番「ＡＥ３５−７２５２」のカラーの項には「（４）Ｄブラウン」及び「（１６）Ｌグレー」の記載、品番「ＡＥ３５−７２５３」のカラーの項には「（２）チャコール」及び「（４）Ｄブラウン」の記載、品番「ＡＥ３５−７２５４」のカラーの項には「（１）ブラック」及び「（３）Ｄブルー」の記載、並びに品番「ＡＥ３５−７２５５」のカラーの項には「（１）ブラック」、「（３）Ｄブルー」、「（２）チャコール」及び「（４）Ｄブラウン」の記載がある。
　しかし、当該商品カタログには、その作成日及び作成者は記載されていない 。
　（３）　乙１１は、納入者「旭繊維株式会社」から、「サンリッチ株式会社」あての平成２７年１１月３０日付け納品書であるところ、当該納品書における指定品番「ＡＥ３５　７２５１−５」の品名の欄には「紳士フットカバー」の記載、カラー明細の欄には「（３）（４）」の記載がある。同様に「ＡＥ３５　７２５２−５」の品名の欄には「紳士フットカバー」の記載、カラー明細の欄には「（４）（１６）」の記載、「ＡＥ３５　７２５３−５」の品名の欄には「紳士フットカバー」の記載、カラー明細の欄には「（２）（４）」の記載、「ＡＥ３５　７２５４−５」の品名の欄には「紳士フットカバー」の記載、カラー明細の欄には「（１）（３）」の記載、「ＡＥ３５　７２５５−５」の品名の欄には、「紳士フットカバー」の記載、カラー明細の欄には「（１）、（２）、（３）、（４）」の記載がある。
　当該納品書によれば、要証期間内において、前商標権者である旭繊維株式会社よりサンリッチ株式会社に、商品「紳士フットカバー」が納品されたということができる。
　しかし、当該納品書の宛先には、「ＡＣＥ事業部」の記載はあるものの、納品された商品に本件商標が付されていたかは明らかではない。 
　（４）　乙１２は、「サンリッチ株式会社」から「株式会社イトウ」あての平成２７年１２月２２日付け納品書であるところ、商品の欄には、「紳士フットカバー」の記載がある。
　上記納品書からは、要証期間内である平成２７年１２月２２日において、サンリッチ株式会社より株式会社イトウに商品「紳士フットカバー」が納品されたということができる。
　しかし、平成２７年１２月２２日の時点における本件商標の商標権者は、旭繊維株式会社であり、サンリッチ株式会社ではない。また、サンリッチ株式会社は、専用使用権者ではなく、旭繊維株式会社から通常使用権を許諾されたというべき事情は見いだせない。
　したがって、サンリッチ株式会社は、平成２７年１２月２２日の時点において、商標権者、専用使用権者又は通常使用権者のいずれにも該当しない。
　（５）　乙１３は、依頼主「旭繊維株式会社」及び「サンリッチ（株）」から、届け先「株式会社香賀」あての平成２７年１２月２２日付け宅配便の送り状であるところ、そこの品名の欄には、「レギンス、タイツ他」の記載が確認できる。
　上記送り状からは、品名「レギンス、タイツ」を内容品とする宅配便が、要証期間に「旭繊維株式会社」から「株式会社香賀」あてに送付されたことが認められるが、「レギンス、タイツ」以外の内容品は不明であり、また、送付された内容品に本件商標が付されているかは明らかではない。
　（６）　上記各証拠以外に、本件商標の使用を証明する証拠は、提出されていない。
３　前記２によれば、要証期間内である平成２７年１１月３０日に、当時商標権者であった旭繊維株式会社が、サンリッチ株式会社に対して、乙１０の商品カタログに掲載されている「靴下（紳士フットカバー）」（以下「使用商品」という。）を譲渡したことが認められる。
　しかしながら、乙１０の商品カタログ（広告）の表題部分及び乙１１の納品書（取引書類）の宛先欄に「ＡＣＥ」の文字の記載は認められるものの、使用商品又は使用商品の包装に本件商標又はこれと社会通念上同一と認められる商標が付されているとは認められない。
　また、使用商品と同様の「靴下（紳士フットカバー）」であると認められる乙２ないし乙９の写真の商品には、商品の包装（タグ）に本件商標と社会通念上同一と認められる商標（以下「使用商標」という。）が付されている。
　しかしながら、当該写真の撮影日が平成３０年１０月３日であることから、これをもって、平成２７年１１月３０日に譲渡された使用商品の包装にも、使用商標が付されていたとは認めることができない。
　そうすると、商標法第２条第３項第２号にいう「・・・商品の包装に標章を付したものを譲渡・・・する行為」があったとはいえない。
　その他、被請求人（商標権者）によって、請求に係る指定商品について、本件商標の商標法第２条第３項にいう使用があった事実を示す証拠はなく、本件商標を使用していないことについて正当な理由があることも明らかにされていない。
４　むすび
　以上のとおり、被請求人は、本件審判の請求の登録前３年以内に日本国内において、商標権者、専用使用権者又は通常使用権者のいずれもが請求に係る指定商品について、本件商標の使用をしていた事実を証明したものとは認められない。
　また、被請求人は、本件審判の取消請求に係る指定商品について本件商標の使用をしていないことについて正当な理由があることも明らかにしていない。
　したがって、本件商標の登録は、商標法第５０条の規定により、取り消すべきものである。
　よって、結論のとおり審決する。